(57)【特許請求の範囲】
【請求項１】
高速スイッチと電力用半導体スイッチとが直列に連結された第１ラインと、
複数の高速スイッチと、それぞれ非線形抵抗器と電力ヒューズとが並列に連結された複数の並列連結ユニットと、抵抗と、が直列に連結された第２ラインと、
非線形抵抗器を有する第３ラインと、を備え、
前記第１、第２、及び第３ラインが、互いに並列に連結されていることを特徴とする、直流遮断器。
【請求項２】
前記第２ラインに設けられた前記高速スイッチは、前記非線形抵抗器と前記電力ヒューズとの前記並列連結ユニットの前後に設けられていることを特徴とする、請求項１に記載の直流遮断器。
【請求項３】
前記第２ラインに設けられた前記高速スイッチは、前記第１ラインに設けられた前記高速スイッチより適用電圧が低く構成されていることを特徴とする、請求項１または２に記載の直流遮断器。
【請求項４】
前記電力用半導体スイッチは、ＩＧＢＴ、ＭＯＳ  ＦＥＴ、ＩＧＣＴ、ＧＴＯのいずれか一つであることを特徴とする、請求項１乃至３のいずれか一項に記載の直流遮断器。
【請求項５】
前記第１、第２、及び第３ラインの前にさらに電流測定器を備えることを特徴とする、請求項１乃至４のいずれか一項に記載の直流遮断器。
【請求項６】
前記電流測定器には、前記高速スイッチ又は前記電力用半導体スイッチに開放信号を伝達する故障検出装置（ＦＦＤ）が連結されていることを特徴とする、請求項５に記載の直流遮断器。
【請求項７】
前記故障検出装置は、故障電流遮断時の遮断動作及び正常電流通電時の遮断動作のための各スイッチング制御信号を、前記第１ライン及び前記第２ラインにそれぞれ備えられた前記高速スイッチに、設定された順に出力する、請求項６に記載の直流遮断器。
【請求項８】
前記故障検出装置は、前記故障電流遮断時の遮断動作において、前記第１ラインの前記高速スイッチと前記第２ラインの前記高速スイッチを先に開放し、その後一定時間が経過してから前記第１ラインの前記電力用半導体スイッチを開放する順に前記スイッチング制御信号を出力する、請求項７に記載の直流遮断器。
【請求項９】
前記故障検出装置は、前記正常電流通電時の遮断動作において、前記第２ラインの前記高速スイッチを先に開放し、その後一定時間が経過してから、前記第１ラインの前記高速スイッチを開放する順に前記スイッチング制御信号を出力することを特徴とする、請求項７に記載の直流遮断器。
【請求項１０】
前記第２ラインにおいて、複数の並列連結ユニットが並列に連結されていることを特徴とする、請求項１に記載の直流遮断器。
【請求項１１】
前記第１、第２、及び第３ラインの並列連結で構成された装置を一単位の構成要素とし、この構成要素が複数直列に連結されている、請求項１乃至１０のいずれか一項に記載の直流遮断器。
【請求項１２】
高速スイッチと電力用半導体スイッチとが直列に連結された第１ラインと、複数の高速スイッチと、それぞれ非線形抵抗器と電力ヒューズとが並列に連結された複数の並列連結ユニットと、抵抗と、が直列に連結された第２ラインと、非線形抵抗器を有する第３ラインと、を備え、前記第１、第２、及び第３ラインが、互いに並列に連結されている直流遮断器を準備するステップと、
前記第１ラインの前記高速スイッチを開放し、その後一定時間経過してから、前記電力用半導体スイッチをターンオフにして、電流を前記第１ラインから前記第２ラインに迂回させる第１迂回ステップと、
前記第２ラインに迂回させた電流を、前記電力ヒューズの溶断により遮断して、前記第３ラインに迂回させる第２迂回ステップと、
前記第３ラインに迂回させた電流を前記非線形抵抗器により減少させるステップと、を有する方法。
【請求項１３】
前記第１迂回ステップに先行して、電流測定器により故障電流を判断するステップを有する、請求項１２に記載の方法。
【請求項１４】
前記電流測定器により故障電流が判断された後、高速故障検出装置を用いて、前記高速スイッチ及び前記電力用半導体スイッチに開放信号を伝達するステップを有する、請求項１３に記載の方法。
【請求項１５】
前記開放信号を伝達するステップは、
前記電流測定器により故障電流が判断された後、前記高速故障検出装置により、故障電流遮断時の動作のために、前記第１ラインの前記高速スイッチと前記第２ラインの前記高速スイッチを先に開放し、その後一定時間経過してから、前記第１ラインの前記電力用半導体スイッチを開放する順に前記スイッチング制御信号を出力する、請求項１４に記載の方法。
【請求項１６】
正常電流通電時に、定格電流を遮断して機器の補修及び点検を行うために、前記第２ラインの前記高速スイッチを先に開放し、その後一定時間経過してから、前記第１ラインの前記高速スイッチを開放することを特徴とする、請求項１２に記載の方法。
【発明の詳細な説明】
【技術分野】
【０００１】
本発明は、直流遮断器及びそれを用いる方法に関し、さらに詳細には、高圧直流（ＨＶＤＣ）の送電線路又は配電線路での機器の補修や取り替え及び故障電流発生の際、機器及び系統（送電系統や配電系統）の保護のために、迅速かつ効率よく系統を遮断するための直流遮断器及びそれを用いる方法に関する。
【背景技術】
【０００２】
一般に、直流遮断器は、高圧直流（ＨＶＤＣ、Ｈｉｇｈ  Ｖｏｌｔａｇｅ  Ｄｉｒｅｃｔ  Ｃｕｒｒｅｎｔ）の送電線路又は配電線路での機器の補修や取り替え及び故障電流発生の際、機器及び系統の保護のために、迅速かつ効率よく系統を遮断するために用いられる機器である。
【０００３】
近年の直流遮断器の開発動向としては、反応速度に優れ、且つ、欠陥発生の際、周辺の電線路に被害を与え得る危険を減少できるように、電力用半導体スイッチを活用して設計される傾向にある。ところが、このような電力用半導体スイッチが適用された遮断器は、電流損失が大きく、高圧直流の送電には適していなかった。これは、高圧直流の送電に耐えるためには、用いられる電力用半導体スイッチが、数十〜数百個に至るほど多量に必要となるためである。また、このような多数の電力用半導体スイッチは、電流損失を引き起こすという問題点がある。
【０００４】
上記のような問題点を改善するために提案された技術が、図１及び図２に示されている。図面を参照して従来技術の構成を検討すると、次のとおりである。
【０００５】
図１は、従来技術の一実施例に係るソリッドステート（ｓｏｌｉｄ−ｓｔａｔｅ）遮断器のための基礎エレメント６を示すものである。ここで、ソリッドステート遮断器は、後述の主遮断器及び補助遮断器からなるものであり、下記でさらに説明する。基礎エレメント６は、第１電流方向４の電力用半導体スイッチ１及び電力用半導体スイッチ１に逆並列（ａｎｔｉ−ｐａｒａｌｌｅｌ）に連結されたフリーホイーリング（ｆｒｅｅ−ｗｈｅｅｌｉｎｇ）ダイオード２を含む。
【０００６】
実施形態として、基礎エレメント６は、図２に記載された装置（ｄｅｖｉｃｅ）に用いられる。図２の遮断装置１３は、送電線路１４と直列に連結されている。送電線路１４は、ＨＶＤＣ送電線路である。遮断装置１３は、電圧レベルによって数十から数百個に至る基礎エレメント６の直列連結からなる主遮断器８、主遮断器８と並列に連結されている非線形抵抗器１１、並びに、主遮断器８及び非線形抵抗器１１と並列に連結されている高速スイッチ１０及び補助遮断器９の直列連結を含む。補助遮断器９は、基礎エレメント６を一つのみ備える。高速スイッチ１０は一つの機械的スイッチとして図示されているが、実際は、同時に動作する少なくとも２つの機械的スイッチの直列連結からなる。また、リアクトル１２が遮断装置１３と直列に連結されており、これにより、電流が定格に収まるように制限される。
【０００７】
従来技術に係る遮断装置１３の動作は、次のとおりである。
【０００８】
定格電流が流れる状態では、主遮断器８及び補助遮断器９だけでなく、高速スイッチ１０が閉じられ（ｃｌｏｓｅｄ）、定格電流は、高速スイッチ１０及び補助遮断器９を通して流れることとなる。
【０００９】
電線路に欠陥が生じて故障電流が発生すると、補助遮断器９は、補助遮断器開放信号を受信し、数マイクロ秒以内に直ちに開放（ｏｐｅｎ）され、故障電流を主遮断器８に迂回させる。高速スイッチ１０は、補助遮断器９が確実に開放されるまで一定期間待機した後、開放を始める。高速スイッチ１０の開放が完了すると、主遮断器８は、数マイクロ秒内に直ちに開放される。主遮断器８が開放されると、故障電流は非線形抵抗器１１に迂回し、電流レベルが減少し、電圧が制限される。
【００１０】
ところが、従来技術の場合、数百ｋＶの高電圧直流系統で用いるためには、主遮断器８は、数十〜数百個の電力用半導体スイッチが直列連結されて構成されなければならない。このような場合、電力用半導体スイッチは高価であるので、直流遮断器作製コストの過度な上昇を招くという問題点を依然として抱えている。
【発明の概要】
【発明が解決しようとする課題】
【００１１】
本発明は、前述した問題点を解決するために案出されたものであって、その目的は、定格電流通電の際、通電損失が少なく、主遮断器において電力用半導体スイッチの使用を排除し、安価なコストで作製が可能な直流遮断器及びそれを用いる方法を提供することにある。
【課題を解決するための手段】
【００１２】
本発明の一実施例に係る直流遮断器は、高速スイッチと電力用半導体スイッチとが直列に連結された第１ラインと、複数の高速スイッチと、それぞれ非線形抵抗器と電力ヒューズとが並列に連結された複数の並列連結ユニットと、抵抗と、が直列に連結された第２ラインと、非線形抵抗器を有する第３ラインと、を備え、前記第１、第２、及び第３ラインが、互いに並列に連結されていることを特徴とする。
【００１３】
ここで、前記第２ラインに設けられた前記高速スイッチは、前記非線形抵抗器と前記電力ヒューズとの前記並列連結ユニットの前後に設けられていることを特徴とする。
【００１４】
また、前記第２ラインに設けられた前記高速スイッチは、前記第１ラインに設けられた前記高速スイッチより適用電圧が低く（低電圧容量で）構成されていることを特徴とする。
【００１５】
また、前記電力用半導体スイッチは、ＩＧＢＴ、ＭＯＳ  ＦＥＴ、ＩＧＣＴ、ＧＴＯのいずれか一つであることを特徴とする。
【００１６】
また、前記第１、第２、及び第３ラインの前にさらに電流測定器を備えることを特徴とする。
【００１７】
また、前記電流測定器には、前記高速スイッチ又は前記電力用半導体スイッチに開放信号を伝達する故障検出装置（ＦＦＤ）が連結されていることを特徴とする。
【００１８】
また、前記第２ラインにおいて、複数の並列連結ユニットが並列に連結されていることを特徴とする。
【００１９】
また、前記第１、第２、及び第３ラインの並列連結で構成された装置を一単位の構成要素とし、この構成要素が複数直列に連結されていることを特徴とする。
【００２０】
本発明の一実施例に係る直流遮断器を用いる方法は、前記第１ラインの前記高速スイッチを開放し、その後一定時間経過してから、前記電力用半導体スイッチをターンオフにして、電流を前記第１ラインから前記第２ラインに迂回させる第１迂回ステップと、
前記第２ラインに迂回させた電流を、前記電力ヒューズの溶断により遮断して、前記第３ラインに迂回させる第２迂回ステップと、
前記第３ラインに迂回させた電流を前記非線形抵抗器により減少させるステップと、を有する。
【００２１】
ここで、前記第１迂回ステップに先行して、電流測定器により故障電流を判断するステップを有することを特徴とする。
【００２２】
また、前記電流測定器により故障電流が判断された後、高速故障検出装置を用いて、前記高速スイッチ及び前記電力用半導体スイッチに開放信号を伝達するステップを有することを特徴とする。
【００２３】
また、正常電流通電時に、定格電流を遮断して機器の補修及び点検を行うために、前記第２ラインの前記高速スイッチを先に開放し、その後一定時間経過してから、前記第１ラインの前記高速スイッチを開放することを特徴とする。
【発明の効果】
【００２４】
本発明の一実施例に係る直流遮断器によると、故障電流の遮断動作のために、遮断部を、高速スイッチ及びそれぞれ非線形抵抗器と電力ヒューズとが並列に連結された複数の並列連結ユニットから構成するから、作製コストを減少できる。
【００２５】
また、限流電力ヒューズの場合、小型で大きな遮断容量を有する長所があり、小型化、軽量化が可能となり、補修が簡単になる。
【００２６】
また、本発明の一実施例に係る直流遮断器を用いる方法によると、機器の補修、取り替えの場合の定格電流遮断時と、線路欠陥の場合の故障電流遮断時とに分けて作動するようにすることで、系統で頻繁に発生し得る遮断動作に伴う限流電力ヒューズの取り替え作業を減少させ、これによって補修コストを節減できる。
【図面の簡単な説明】
【００２７】
【図１】従来技術に係る直流遮断器のエレメントの構成図である。
【図２】従来技術に係る直流遮断器の構成図である。
【図３】本発明の一実施例に係る直流遮断器の構成図である。
【図４】本発明の他の実施例に係る直流遮断器の構成図である。
【図５】本発明のさらに他の実施例に係る直流遮断器の構成図である。
【発明を実施するための形態】
【００２８】
以下、本発明の好ましい実施例を、添付図面を参照して説明するが、これは、本発明の属する技術分野における通常の知識を有する者が発明を容易に実施できる程度に詳細に説明するためのものであって、これにより、本発明の技術的な思想及び範疇が限定されることを意味するものではない。
【００２９】
図面を参照して、本発明の各実施例に係る直流遮断器について詳細に説明する。
【００３０】
図３は、本発明の一実施例に係る直流遮断器の構成図である。
【００３１】
図３を参照すると、本発明の一実施例に係る直流遮断器は、高速スイッチ２１と電力用半導体スイッチ２２とが直列に連結された第１ライン２０と、高速スイッチ３１と、それぞれ非線形抵抗器３２と電力ヒューズ３３とが並列に連結された複数の並列連結ユニットと、抵抗３６と、が直列に連結された第２ライン３０と、非線形抵抗器４１を有する第３ライン４０と、を備え、第１、第２、及び第３ライン２０，３０，４０が、互いに並列に連結されていることを特徴とする。
【００３２】
第１ライン２０は、高速スイッチ２１と電力用半導体スイッチ２２とが直列に連結されて構成され、定格電流の通電を担当することとなる。即ち、主回路の役割をする。
【００３３】
高速スイッチ２１は、電力系統で発生する故障電流を効果的に制御するための電力機器であって、故障電流の発生時、短時間で故障電流を他の回路に迂回させるために用いられる。
【００３４】
高速スイッチ２１は、主回路に連結されて前記主回路を開閉させる真空インタラプタ、前記真空インタラプタの稼動部に結合されて接圧力を提供する接圧ばね、前記接圧ばねに連結される絶縁ロッド、前記絶縁ロッドに連結されて開閉駆動力を提供する永久磁石操作器、前記永久磁石操作器に連結される駆動コイル、前記永久磁石操作器のコイル部または駆動コイルに放電電流を提供するキャパシタ等から構成することができる。また、高速スイッチ２１は、交流（ＡＣ）電力系統において一般に用いる遮断器が用いられてもよい。このとき、第１ライン２０に加えられる電圧レベルによってガス絶縁開閉装置（Ｇａｓ  Ｉｎｓｕｌａｔｅｄ  Ｓｗｉｔｃｈｇｅａｒ）や真空遮断器（Ｖａｃｕｕｍ  Ｃｉｒｃｕｉｔ  Ｂｒｅａｋｅｒ）等を用いてもよい。
【００３５】
電力用半導体スイッチ２２は、電力変換や制御用に用いられるものであって、高電圧、大電流用に用いられる。電力用半導体スイッチ２２は、電流のターンオン（ｔｕｒｎ−ｏｎ）、ターンオフ（ｔｕｒｎ−ｏｆｆ）性能を有するＩＧＢＴ（Ｉｎｓｕｌａｔｅｄ−Ｇａｔｅ  Ｂｉｐｏｌａｒ  Ｔｒａｎｓｉｓｔｏｒ）、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）、ＩＧＣＴ（Ｉｎｔｅｇｒａｔｅｄ  Ｇａｔｅ−Ｃｏｍｍｕｔａｔｅｄ  Ｔｈｙｒｉｓｔｏｒ）、ＧＴＯ（Ｇａｔｅ  Ｔｕｒｎ−ｏｆｆ  Ｔｈｙｒｉｓｔｏｒ）等から構成することができる。
【００３６】
第２ライン３０は、高速スイッチ３１、電力ヒューズ３３と非線形抵抗器３２との並列連結ユニット、及び、抵抗３６が直列に連結されて構成される。即ち、非線形抵抗器３２と電力ヒューズ３３とは、互いに並列に連結され、複数直列連結される。第２ライン３０は、故障電流の発生時、故障電流を限流し、遮断する役割をする。即ち、第２ライン３０は、主遮断回路の役割をする。
【００３７】
電力ヒューズ３３は、電力用半導体スイッチ２２よりは適用電圧が低く構成される。電力ヒューズ３３は、限流電力ヒューズで構成することができる。電力ヒューズ３３は、複数個で構成され、直流遮断器にかかる電圧を一定に分担することとなる。
【００３８】
非線形抵抗器３２は、アレスター（Ａｒｒｅｓｔｏｒ）等を用いることができる。非線形抵抗器３２は、電流遮断時、電力ヒューズ３３にかかる過電圧から機器を保護することとなる。
【００３９】
電力ヒューズ３３と非線形抵抗器３２との並列組み合わせが一つの単位ユニットをなし、この単位ユニットが直流遮断器の電圧大きさに合うように複数個直列に連結される。
【００４０】
電力ヒューズ３３と非線形抵抗器３２との組み合わせからなるユニットの直列連結の前後に高速スイッチ３１が備えられる。第２ライン３０に設けられる高速スイッチ３１は、第１ライン２０に設けられる高速スイッチ２１と同じ種類の高速スイッチを設けることができる。しかし、第２ラインに２つの高速スイッチが設けられる場合、第２ライン３０に設けられた高速スイッチ３１は、第１ライン２０に設けられた高速スイッチ２１の１／２の電圧に耐えればよいので、第１ライン２０に設けられた高速スイッチ２１より低い電圧レベルの（適用電圧が低い）スイッチで構成することが可能である。
【００４１】
抵抗３６は、第１ライン２０と第２ライン３０との間の電流の流れを調節するために用いられる。また、抵抗３６は、遮断時に電流を限流させる役割をする。これによって、電力ヒューズ３３に流れる電流により電力ヒューズ３３が溶断する速度を調節することができる。
【００４２】
第３ライン４０は、非線形抵抗器４１で構成される。第３ライン４０は、最終的に故障電流を減少させ、電圧を抑制する役割をする。
【００４３】
回路の前端に電流測定器５０と高速故障検出装置（Ｆａｓｔ  Ｆａｕｌｔ  Ｄｅｔｅｃｔｏｒ；ＦＦＤ）５５が設けられ、送・配電ライン６０に流れる電流を測定し、予め設定された電流値以上の故障電流が発生すると、高速スイッチ２１，３１及び電力用半導体スイッチ２２に順次に動作信号を送って、直流遮断器１００を作動させる。
【００４４】
本発明の一実施例に係る直流遮断器は、直流の送・配電ライン６０に直列に設けられて利用される。定格電流の通電時、高速スイッチ２１、３１及び電力用半導体スイッチ２２は閉じられた（ｃｌｏｓｅｄ）状態であり、ほとんどの定格電流は、高速スイッチ２１と電力用半導体スイッチ２２とが直列に連結されている第１ライン２０を通じて流れることとなる。定格電流の通電時、第１ライン２０と第２ライン３０とに通電する電流量の差は、二つのラインの線路抵抗値により定められ、第２ライン３０にある抵抗３６の値を大きくすると、さらに多くの電流が第１ライン２０を通じて流れることとなる。
【００４５】
本発明の一実施例に係る直流遮断器１００を用いた遮断方法を説明する。
【００４６】
本発明の一実施例に係る直流遮断器の遮断動作は、故障電流遮断時の遮断動作と正常電流通電時の遮断動作とに分けられる。
【００４７】
先ず、故障電流遮断時の動作を説明する。
【００４８】
電流測定器５０で測定される電流値が設定された電流値以上となる故障電流が発生した場合、高速故障検出装置５５は、高速スイッチ２１，３１に開放（ｏｐｅｎ）信号を送る。高速スイッチ２１，３１が開放されて一定時間（数ミリ秒、ｍｓ）が経過した後、高速故障検出装置５５は、電力用半導体スイッチ２２に開放信号を送る。信号を受けた電力用半導体スイッチ２２は、数マイクロ秒（μｓ）内に遮断（ｔｕｒｎ−ｏｆｆ）動作を終了することとなる。電力用半導体スイッチ２２の遮断動作が完了すると、故障電流は、第１ライン２０から第２ライン３０に迂回することとなり、第２ライン３０にある抵抗３６によって限流される。一定時間（数ｍｓ）が経過すると、限流された故障電流により電力ヒューズ３３が溶断し、第２ライン３０に流れる故障電流は遮断され、故障電流は、第３ライン４０に迂回する。第３ライン４０に流れる故障電流は、非線形抵抗器４１により減少させられ、直流遮断器１００の両端にかかる電圧が抑制される。
【００４９】
次に、正常電流通電時の遮断動作を説明する。正常電流通電時の遮断動作は、送・配電ライン６０に設けられた機器の補修または取り替えのために直流遮断器１００を動作させる場合等、正常状態でなされる。これは、上述したように、定格電流通電時の遮断動作である。
【００５０】
外部から直流遮断器１００の遮断動作信号が印加されると、先ず、第２ライン３０の高速スイッチ３１が開放動作をする。このとき、第２ライン３０を通じて流れる電流は、数Ａから数十Ａに過ぎないので、高速スイッチ３１が相対的に低電圧であっても遮断され得る。一定時間（数ｍｓ）が経過した後、高速スイッチ３１の開放動作が完了すると、第１ライン２０の高速スイッチ２１が開放動作を始めることとなる。一定時間（数ｍｓ）が経過した後、第１ライン２０の高速スイッチ２１が開放動作を完了すると、電力用半導体スイッチ２２がターンオフ（ｔｕｒｎ−ｏｆｆ）動作をすることとなる。電力用半導体スイッチ２２がターンオフ（ｔｕｒｎ−ｏｆｆ）動作は数μｓ以内に終了し、定格電流は、第３ライン４０に迂回する。第３ライン４０に迂回した定格電流は、非線形抵抗器４１により減少させられ、直流遮断器１００の両端の電圧が抑制される。
【００５１】
図４を参照して、本発明の他の実施例に係る直流遮断器１０１を説明する。
【００５２】
この実施例においては、第２ライン３０が複数個並列に連結される。回路上では、第２ライン３０の中で抵抗３６を除く残りの構成要素が複数個並列に連結されることで具現されてもよい。
【００５３】
正常状態で第２ラインは、いずれか一つのライン３０だけが連結された（閉じられた）状態にある。遮断動作により連結された状態にあるいずれか一つのライン３０が開放されると、故障電流の解消後、他の一つのライン３０’が連結される（閉じられる）。以後、再び連結されたライン３０’が故障電流により遮断されると、さらに他のラインが閉じられることとなる。このような方式で電力ヒューズ３３の取り替え作業による時間を確保できるように、多数個の代替ラインが構成されている。
【００５４】
図５を参照して、本発明のさらに他の実施例に係る直流遮断器を説明する。
【００５５】
この実施例においては、全実施例の構成（第１、第２、及び第３ラインの並列連結組み合わせからなる装置）が一単位の構成要素となって、複数直列に連結される。これにより、送・配電線に流れる高電圧に対して大容量の遮断性能を示すことが可能となる。
【００５６】
本発明の一実施例に係る直流遮断器によると、遮断部を、高速スイッチ及びそれぞれ非線形抵抗器とパワーヒューズとが並列に連結された複数の並列連結ユニットから構成するから、作製コストを減少できる。
【００５７】
また、限流パワーヒューズの場合、小型で大きな遮断容量を有する長所があり、小型化、軽量化が可能となり、補修が簡単になる。
【００５８】
また、本発明の一実施例に係る直流遮断器を用いる方法において、機器の補修、取り替えの場合の定格電流遮断時と、線路欠陥の場合の故障電流遮断時とに分けて作動するようにすることで、系統で頻繁に発生し得る遮断動作に伴う限流パワーヒューズの取り替え作業を減少させ、これによって補修コストを節減できる。
【００５９】
本発明は、上記において言及された好ましい実施例と関連して説明されたが、発明の要旨を外れない範囲内で様々な修正及び変形が可能であることは、当業者であれば容易に認識することができ、このような修正及び変形は、いずれも添付された請求の範囲に属することは自明である。
【００６０】
例えば、本発明の一実施例においては、第２ラインに抵抗が直列に連結された構成について説明したが、本発明の他の実施例においては、直流遮断器が、定格電流の通電のための電力用半導体スイッチが備えられた第１ラインと、第１ラインに並列に連結され、故障電流の発生時、故障電流を制限し、遮断するように、非線形抵抗器と電力ヒューズとが並列に連結されて複数直列連結された第２ラインと、第１ラインに並列に連結され、迂回した故障電流または定格電流を減少させ、電圧を抑制するための非線形抵抗器が備えられた第３ラインと、故障電流遮断時の遮断動作及び正常電流通電時の遮断動作のための各スイッチング制御信号を、前記第１ライン及び前記第２ラインにそれぞれ備えられた前記高速スイッチに、設定された順に出力する高速故障検出装置と、を備えて構成してもよい。
【００６１】
同様に、本発明の他の実施例に係る直流遮断器の直流遮断方法は、定電流の通電のための電力用半導体スイッチが備えられた第１ラインを準備するステップと、第１ラインに並列に連結され、故障電流の発生時、故障電流を制限し、遮断するように、非線形抵抗器と電力ヒューズとが並列に連結されて複数直列連結された第２ラインを準備するステップと、第１ラインに並列に連結され、迂回した故障電流または定格電流を減少させ、電圧を制限するための非線形抵抗器が備えられた第３ラインを準備するステップと、高速故障検出装置により、故障電流遮断時の遮断動作と正常電流通電時の遮断動作のための各スイッチング制御信号を、第１ライン及び第２ラインにそれぞれ備えられた高速スイッチに、設定された順に出力するステップと、を有するものであってもよい。
【図１】
0006040385.tif 000002
【図２】
0006040385.tif 000003
【図３】
0006040385.tif 000004
【図４】
0006040385.tif 000005
【図５】
0006040385.tif 000006